(57)【要約】【課題】簡単な構造で棟の十分な通気を行うことができる換気棟構造を提供すること。【解決手段】屋内と屋外とを仕切る一対の野地板１００と、一対の野地板１００が対向する箇所に設けられた換気スリット１０１と、野地板１００の上部に設けられ例えば防水性を有する透湿ルーフィング１０２と、この透湿ルーフィング１０２の上面に設けられた瓦１０３と、この瓦１０３の上面であり換気スリット１０１に沿って延設され、一方の側面から他方へと通気することが可能に形成された通気部材１１０と、この通気部材１１０の上面を覆い換気スリット１０１に跨って設けられた棟包１２０とを備えている。【選択図】      図１
2008082034.tif 000002
【特許請求の範囲】
【請求項１】
互いの境界部を上方にして対向配置された一対の野地板と、
この野地板上に配置された一対の屋根材と、
上記一対の屋根材上に上記境界部に沿って設けられ、空気流通部材を有する下段部及び笠木を有する上段部が積層配置された一対の通気部材と、
上記境界部を跨いで設けられるとともに、上記一対の通気部材上面に配置された棟包と、
上記棟包側から上記上段部の笠木、上記下段部、上記屋根材、上記野地板側へ貫通して固定する固定部材と、
上記野地板上に設けられた防水性シートとを備えていることを特徴とする換気棟構造。
【請求項２】
上記棟包は、上記支持部材側面を覆う側面カバー部を有し、
上記カバー部側から上記上段部の笠木側へ貫通して固定する側面固定部材を備えていることを特徴とする請求項１に記載の換気棟構造。
【請求項３】
上記上段部は、上記笠木と上記空気流通部材とが上記境界部に沿って交互に配置され、
上記側面カバー部は、上記空気流通部材において開口していることを特徴とする請求項１に記載の換気棟構造。
【請求項４】
上記野地板と上記屋根材との間には、外部へと空気を流通させる空気流通部が形成されていることを特徴とする請求項１に記載の換気棟構造。
【請求項５】
上記空気流通部材は、上記上段部と上記下段部の積層方向に延設された柱体が千鳥状に配置された中空体であることを特徴とする請求項１に記載の換気棟構造。
【請求項６】
野地板と、
この野地板上に配置された屋根材と、
この野地板と上記屋根材との間に配置された空気流通部と、
上記野地板の軒先部に設けられ、上記空気流通部と外部との空気の流通を行う空気流通部材と、
上記屋根材側から上記空気流通部材、上記野地板側へ貫通して固定する固定部材とを備えていることを特徴とする換気屋根構造。
【請求項７】
上記空気流通部材は、上記上段部と上記下段部の積層方向に延設された柱体が千鳥状に配置された中空体であることを特徴とする請求項５に記載の換気屋根構造。
【請求項８】
野地板と、
この野地板上に配置された屋根材と、
この野地板と上記屋根材との間に配置された空気流通部と、
上記野地板の軒先部に設けられ、上記空気流通部と外部との空気の流通を行う空気流通部材と、
この空気流通部材上面に設けられたのぼり部材と、
こののぼり部材側から上記空気流通部材、上記野地板側へ貫通して固定する固定部材とを備えていることを特徴とする換気屋根構造。
【請求項９】
上記空気流通部材は、上記上段部と上記下段部の積層方向に延設された柱体が千鳥状に配置された中空体であることを特徴とする請求項８に記載の換気屋根構造。
【請求項１０】
互いの境界部を上方にして対向配置された一対の野地板と、
この野地板上に配置された一対の屋根材と、
上記境界部に跨って配置され、上記境界部の上方から滴下する水を上記野地板上側に排水する水切り部材と、
上記境界部を跨って配置された棟包と、
この棟包の下面の側端側に上記境界部に沿って延設された空気流通部材と、
上記棟包の下面の中心側に上記境界部に沿って延設された網状体と、
上記棟包と上記空気通気部材及び上記網状体との間に設けられた防水性シートを備えていることを特徴とする換気棟構造。
【請求項１１】
上記空気流通部材は、上記上段部と上記下段部の積層方向に延設された柱体が千鳥状に配置された中空体であることを特徴とする請求項１０に記載の換気棟構造。
【発明の詳細な説明】
【技術分野】
【０００１】
本発明は、家屋等の棟部や屋根等における換気棟構造及び換気屋根構造に関し、特に通気効率を向上させることができるものに関する。
【背景技術】
【０００２】
家屋の屋根等に瓦屋根構造が用いられており、この瓦屋根構造には様々な技術が用いられている。
【０００３】
家屋の棟部においては、雨水等が家屋内に浸入するのを防止するため、土、なんばん、しっくい等を用いて隅瓦と垂木との隙間を固める湿式工法が従来より用いられていた。しかしながら、湿式工法では、屋内の換気を行うことが困難であるため、近年では、棟部に空気流通路換気機能持たせることで通気効率を向上させる棟構造が採用されつつある（例えば、特許文献１、２参照）。
【０００４】
家屋のケラバ等においては、雪の多い地方等でケラバが雪の重みに耐えうるよう軒先下における下地枠体に金属性のものを用いることにより耐荷重を向上させる方法や、雨水等の水切機能をケラバ部材にも用いることにより、製造や施工等を容易にする方法等が採用されている（例えば、特許文献３、４参照）。
【特許文献１】特許２９０１１８０号明細書
【特許文献２】特許３５８３１１１号明細書
【特許文献３】特開２００１−２０７５８０号公報
【特許文献４】特開２００１−１６４７１８号公報
【発明の開示】
【発明が解決しようとする課題】
【０００５】
上述した換気機能を有する棟構造には、次のような問題があった。すなわち、屋内から屋外への換気経路が複雑で十分な換気を行うことができなかった。また、金具類を多用した複雑な構造であるため、製造及び施工等のコストが高くなるという問題もあった。
【０００６】
上述したケラバ構造には次のような問題があった。すなわち、耐荷重や水切機能を有することが可能であったとしても、ケラバにおいて野地板と屋根部材との間での通気を取ることができなかった。
【０００７】
そこで、本発明は、簡単な構造で家屋等の屋根に十分な通気を行うことができ、さらに製造・施工コストを低減することが可能な換気屋根構造を提供することを目的としている。
【課題を解決するための手段】
【０００８】
前記課題を解決し目的を達成するために、本発明の換気棟構造及び換気屋根構造は次のように構成されている。
【０００９】
互いの境界部を上方にして対向配置された一対の野地板と、この野地板上に配置された一対の屋根材と、上記一対の屋根材上に上記境界部に沿って設けられ、空気流通部材を有する下段部及び笠木を有する上段部が積層配置された一対の通気部材と、上記境界部を跨いで設けられるとともに、上記一対の通気部材上面に配置された棟包と、上記棟包側から上記上段部の笠木、上記下段部、上記屋根材、上記野地板側へ貫通して固定する固定部材と、上記野地板上に設けられた防水性シートとを備えていることを特徴とする。
【００１０】
野地板と、この野地板上に配置された屋根材と、この野地板と上記屋根材との間に配置された空気流通部と、上記野地板の軒先部に設けられ、上記空気流通部と外部との空気の流通を行う空気流通部材と、上記屋根材側から上記空気流通部材、上記野地板側へ貫通して固定する固定部材とを備えていることを特徴とする。
【００１１】
野地板と、この野地板上に配置された屋根材と、この野地板と上記屋根材との間に配置された空気流通部と、上記野地板の軒先部に設けられ、上記空気流通部と外部との空気の流通を行う空気流通部材と、この空気流通部材上面に設けられたのぼり部材と、こののぼり部材側から上記空気流通部材、上記野地板側へ貫通して固定する固定部材とを備えていることを特徴とする。
【００１２】
互いの境界部を上方にして対向配置された一対の野地板と、この野地板上に配置された一対の屋根材と、上記境界部に跨って配置され、上記境界部の上方から滴下する水を上記野地板上側に排水する水切り部材と、上記境界部を跨って配置された棟包と、この棟包の下面の側端側に上記境界部に沿って延設された空気流通部材と、上記棟包の下面の中心側に上記境界部に沿って延設された網状体と、上記棟包と上記空気通気部材及び上記網状体との間に設けられた防水性シートを備えていることを特徴とする。
【発明の効果】
【００１３】
本発明によれば、簡単な構造で家屋の屋根に十分な通気を行うことができ、さらに製造・施工コストを低減することが可能となる。
【発明を実施するための最良の形態】
【００１４】
図１は本発明の第１の実施の形態に係る平棟１０を示す断面図、図２は同平棟１０に用いられる通気部材１１０を示す斜視図、図３は同平棟１０に用いられる棟包１２０を示す斜視図、図４は同平棟１０の側面を示す説明図である。なお、図１中Ｆは空気流通路を示している。
【００１５】
平棟１０は、屋内と屋外とを仕切る一対の野地板１００，１００と、一対の野地板１００，１００が対向する箇所に空間を設けることで形成されている換気スリット１０１と、野地板１００，１００の上部に設けられ例えば防水性を有する透湿ルーフィング１０２と、この透湿ルーフィング１０２の上面に設けられ例えば屋根部材である瓦１０３と、この瓦１０３の上面であり換気スリット１０１に沿って延設され、一方の側面から他方への通気が可能に形成された通気部材１１０と、この通気部材１１０の上面を覆い換気スリット１０１に跨って設けられた棟包１２０とを備えている。
【００１６】
通気部材１１０は、後述する笠木１１４上面から例えば釘打ちすることで野地板１００を釘１０４により貫通させて垂木（不図示）に固定させる。棟包１２０は棟包１２０側面から例えば釘１０４により笠木１１４へ釘打ちすることで通気部材１１０に固定される。
【００１７】
図２に示すように、通気部材１１０は、２重構造となっており、２重構造の下段部１１０ａは、例えば、円錐台形状の山が空気流通方向に対して千鳥格子状に配置された面材１１２同士の山先同士を接着させることで形成された円錐複合体１１３を有する中空体１１１により形成されている。また、上段部１１０ｂは例えば木材により形成された笠木１１４と中空体１１１とが交互に配置することにより形成されている。この下段部１１０ａと上段部１１０ｂとは例えば接着剤等により固定されている。図２に示すように、笠木１１４と中空体１１１との幅を同じとしてもよいが、図１に示すように笠木１１４を中空体１１１より広い幅に形成してもよい。これは、笠木１１４の幅を広くすることにより、笠木１１４に接する棟包１２０の面積を大きくすることで、棟包１２０の上方からの荷重に対する強度を向上させることができるためである。
【００１８】
図３に示すように棟包１２０は、上方から滴下した雨水等を側方、すなわち瓦１０３上面へ排水する山型のカバー部１２１と、このカバー部１２１の端面に設けられ鉛直方向に延び笠木１１４に隣接する側面カバー１２２と、カバー部１２１の端面に設けられ上段部１１０ｂの中空体１１１に隣接する箇所に設けられた空気の流通路を得るための流通孔１２３と、側面カバー１２２に設けられ通気部材１１０の下段部１１０ａと上段部１１０ｂとの間に隣接する位置から例えば野地板１００に平行に延出した水切板１２４とを備えている。
【００１９】
このように構成された平棟１０では、空気流通路Ｆが形成される。まず、屋内（野地板１００下部）の空気は空気流通路Ｆに示すように、通気スリット１０１を通過し、棟包１２０下方空間へと移動する。そして、外部の空気が棟包１２０の一方から中空体１１１を通り、棟包１２０下方の空気と一緒に他方の中空体１１１を通過し外部へと排出される。
【００２０】
また、図４に示すように、棟包１２０に設けられた側面カバー１２２と水切板１２４とにより、笠木１１４から屋内へ雨水等が流れ込むことは無い。また、通気部材１１０（中空体１１１）は、野地板１００と平行に設けているため、斜め上方からの雨水等は中空体１１１へ進入せず、これにより雨水は屋内へ流れ込まない。
【００２１】
例えば、強風等により瓦１０３上の雨水が巻上げられる等により中空体１１１へ進入したとしても、中空体１１１の空気流通路Ｆ方向に円錐複合体１１３が千鳥格子状に配置されているため、空気は流通するが、雨水等は円錐複合体１１３に衝突及び付着等することにより（円錐複合体１１３が抵抗となるため）屋内へ流れ込むことはない。
【００２２】
さらに、流通孔１２３を設けることにより、より多くの空気流通路Ｆを得ることができる。このため、止水効果等の基本的な機能を維持しつつ、簡単な構造で屋内へ排出される空気流通路Ｆを設けることにより、換気効率を向上しつつ製造・施工コストを低減させることができる。
【００２３】
この他にも、笠木１１４の幅（面積）を調節することで、棟包１２０の上方からの強度（耐荷重等）を調整することができる。このように、笠木１１４の幅を変えるだけで、例えば施工時の足場広さによる棟包１２０での足場確保や、使用地域による積雪量等の使用状況により簡単に強度を調整できるため、製造・施工コストを低減させることができる。
【００２４】
また、通気部材１１０を笠木１１４部に釘１０４等により釘打ちをすることで、釘１０４は野地板１００を貫通し、垂木に強固に固定することができる。強固に固定された笠木１１４に棟包１２０を釘１０４等により固定させるため、棟包１２０を強固に固定することができる。ここで、棟包１２０の側面カバー１２２に釘打ちを行うことで、釘打ち部から笠木１１４へとの雨水が浸入することを防ぐことができる。なお、釘１０４を釘打ちした箇所からの雨水の浸入をより防ぐために、例えば防水シールを釘１０４の皿部に貼ってもよい。
【００２５】
上述したように、本実施の形態に係る平棟１０によれば、止水効果等の基本的な機能を維持しつつ、簡単な構造で屋内の空気が屋外へ排出される空気流通路Ｆを設けることができるため、製造・施工コストを低減し、さらに、通気効率を向上させることができる。
【００２６】
図５は本発明の第２の実施の形態に係る屋根構造１の平棟１０Ａを示す断面図、図６は同屋根構造１の軒先部１１を示す断面図、図７は同屋根構造１のケラバ１２を示す断面図である。なお、図５〜７において図１〜４と同一機能部分には同一符号を付し、その詳細な説明は省略する。
【００２７】
屋根構造１は、一対の野地板１００，１００の上部に設けられた透湿ルーフィング１０２と、この透湿ルーフィング１０２上の各端部に設けられた中空体１１１と、透湿ルーフィング１０２上の中空体１１１と中空体１１１との間に設けられた網状帯１１５と、中空体１１１及び網状帯１１５上部に設けられた瓦１０３と、瓦１０３上面であり通気スリット１０１に跨がって設けられた平棟１０Ａと、屋根下端に沿って設けられた軒先１１と、屋根側端であり垂木１０５に沿って設けられたケラバ１２とを備えている。
【００２８】
平棟１０Ａは、中空体１１１及び網状帯１１５上部に設けられた瓦１０３と、瓦１０３上面であり換気スリット１０１に沿って延設された通気部材１１０と、通気部材１１０の上面に設けられた棟包１２０とを備えている。
【００２９】
軒先１１は、屋根下端に沿って中空体１１１と透湿ルーフィング１０２との間に設けられ、一方は野地板１００側面を覆う形状であり、他方は端部に返し１３１を有する形状に形成された軒先水切１３０を備えており、瓦１０３と軒先水切１３０とは例えば釘１０４等により釘打ちすることで野地板１００等に固定されている。
【００３０】
ケラバ１２は、屋根側端（妻側端部）であり垂木１０５に沿って設けられた中空体１１１の上面に配置されたのぼり木１４０と、のぼり木１４０と野地板１００とを覆い、且つ、瓦１０３と中空体１１１及び網状帯１１５との間に設けられ、瓦１０３と中空体１１１及び網状帯１１５との間に設けられたこの端部に返し１４２を有するケラバ水切１４１とを備えている。のぼり木１４０は釘１０４等により釘打ちすることで野地板１００等に固定され、ケラバ水切１４１はのぼり木１４０に釘１０４等により釘打ちすることにより固定される。
【００３１】
このように構成された屋根構造１によれば、空気流通路Ｆに示すように、まず、屋内及び透湿ルーフィング１０２（野地板１００）と瓦１０３との間の空気は通気スリット１０１を通過し、棟包１２０下方空間へと移動する。同様に、軒先１１からも透湿ルーフィング１０２と瓦１０３との間を通り通気スリットを通過して棟包１２０下方空間へと移動する。そして、外部の空気が棟包１２０の一方から中空体１１１を通り、棟包１２０の空気と一緒に他方の中空体１１１を通過し外部へと排出される。
【００３２】
また、透湿ルーフィング１０２と瓦１０３との間の空気は、図７に示す空気流通路Ｆのように、ケラバ１２に設けられた中空体１１１から外部へと排出される。なお、軒先１１から通気スリット１０１へと空気が移動するとしたが、通気スリット１０１から軒先１１へと空気が移動し、軒先１１から外部へと空気が排出される場合もある。同様に、外部からケラバ１２に設けられた中空体１１１を介し、通気スリット１０１へと空気が移動することもある。
【００３３】
軒先１１端部の野地板１００は軒先水切１３０により覆われているため、野地板１００が雨水に晒されることはなく、このため、軒先水切１３０と野地板１００との間に雨水が進入することもない。同様にケラバ１２端部の野地板１００も、ケラバ水切１４１により覆われるため、野地板１００が雨水に晒されることはなく、ケラバ水切１４１と野地板１００との間に雨水が進入することもない。
【００３４】
また、軒先水切１３０とケラバ水切１４１とにそれぞれ返し１３１，１４２を設けたことにより、万が一雨水等が浸入したとしても、返し１３１，１４２により雨水を堰き止めることができるため野地板１００へ雨水が浸入することはない。
【００３５】
透湿ルーフィング１０２（野地板１００）と瓦１０３との間に空間を設けることにより、止水効果等の基本的な機能を維持しつつ、簡単な構造で野地板１００と瓦１０３との間に屋内へ排出される空気流通路Ｆを設けることができるため、製造・施工コストを低減させながら、より通気効率を向上させることができる。
【００３６】
また、軒先水切１３０、ケラバ水切１４１及びのぼり木１４０に釘１０４等により釘打ちをすることで、野地板１００に釘１０４を貫通させ強固に固定することが可能となる。ここで、ケラバ水切１４１側面に釘打ちを行うことで、釘打ち部から笠木１１４へと雨水が浸入することを防ぐことができる。なお、釘１０４を釘打ちした箇所からの雨水の浸入をより防ぐために、例えば防水シールを釘１０４の皿部に貼ってもよい。
【００３７】
上述したように、本実施の形態に係る屋根構造１によれば、止水効果等の基本的な機能を維持しつつ、簡単な構造で屋内及び野地板１００と瓦１０３との空間空気が屋外へ排出される空気流通路Ｆを設けることができるため、製造・施工コストを低減し、さらに、通気効率を向上させることができる。
【００３８】
図８は本発明の第３の実施の形態に係る平棟１０Ｂを示す断面図である。なお、図８において図１〜４と同一機能部分には同一符号を付し、その詳細な説明は省略する。
【００３９】
平棟１０Ｂは、一対の野地板１００，１００に設けられた換気スリット１０１と、野地板１００，１００の上部に設けられた透湿ルーフィング１０２と、透湿ルーフィング１０２上であり換気スリット１０１に跨って設けられ、上方から滴下した水を側方、すなわち野地板１００，１００上面の透湿ルーフィング１０２へ排水可能な山形、且つ、側面から空気の流通ができるよう形成された水切部材１５０と、透湿ルーフィング１０２の上面であり水切部材１５０の近傍に複数枚設けられた瓦１０３と、瓦１０３の上面であり水切部材１５０に跨って設けられた通気部材１６０と、瓦１０３の上面であり通気部材１６０に跨って設けられた棟包１２０とを備えている。
【００４０】
通気部材１６０は、瓦１０３上であり通気スリット１０１に対して一対に設けられた中空体１１１と、この中空体１１１上面及び水切部材１５０を覆うように設けられた透湿ルーフィング１０２と、この透湿ルーフィング１０２下面であり中空体１１１と中空体１１１との間に設けられた網状帯１１５とを備えている。
【００４１】
このように構成された平棟１０Ｂでは、空気流通路Ｆが形成される。まず、屋内の空気は空気流通路Ｆに示すように、通気スリット１０１を通過し、水切部材１５０側面から棟包１２０下方空間へと移動する。そして、外部の空気が棟包１２０の一方から中空体１１１を通り、棟包１２０の空気と一緒に他方の中空体１１１を通過し外部へと排出される。
【００４２】
また、棟包１２０に設けられた側面カバー１２２及び水切板１２４により、屋内へ雨水等が流れ込むことは無い。また、流通孔１２３により外部に露出した中空体１１１は野地板１００と平行に設けているため、斜め上方からの雨水等は屋内へと流れ込まない。
【００４３】
上述したように、本実施の形態に係る平棟１０Ｂによれば、止水効果等の基本的な機能を維持しつつ、簡単な構造で屋内及び野地板１００と瓦１０３との空間の空気が屋外へ排出される空気流通路Ｆを設けることができるため、製造・施工コストを低減し、さらに、通気効率を向上させることができる。
【００４４】
図９は本発明の第４の実施の形態に係る平棟１０Ｃを示す断面図である。なお、図９において図１〜４と同一機能部分には同一符号を付し、その詳細な説明は省略する。
【００４５】
平棟１０Ｃは、一対の野地板１００，１００に設けることで形成されている換気スリット１０１と、野地板１００，１００の上部に設けられた透湿ルーフィング１０２と、透湿ルーフィング１０２上であり換気スリット１０１に跨って設けられた水切部材１５０と、透湿ルーフィング１０２上に設けられた瓦１０３と、水切部材１５０の側部から透湿ルーフィング１０２と瓦１０３との間へ設けられた面戸部材１５１と、瓦１０３の上面であり水切部材１５０に跨って設けられた通気部材１６０と、通気部材１６０を覆うように設けられた冠瓦１７０とを備えている。
【００４６】
このように構成された平棟１０Ｃでは、空気流通路Ｆが形成される。まず、屋内（野地板１００下部）の空気は空気流通路Ｆに示すように、通気スリット１０１を通過し、水切部材１５０側面から通気部材１６０下方空間へと移動する。そして、外部の空気が通気部材１６０の一方から中空体１１１を通り、通気部材１６０下面の空気と一緒に他方の中空体１１１を通過し外部へと排出される。
【００４７】
また、冠瓦１７０と中空体１１１により斜め上方からの雨水は屋内へ流れ込まない。万が一雨水が流れ込んできたとしても、面戸部材１５１により瓦１０３と透湿ルーフィング１０２との間へと雨水を排出する。
【００４８】
上述したように、本実施の形態に係る平棟１０Ｃによれば、止水効果等の基本的な機能を維持しつつ、簡単な構造で屋内及び野地板１００と瓦１０３との空間の空気が屋外へ排出される空気流通路Ｆを設けることができるため、製造・施工コストを低減し、さらに、通気効率を向上させることができる。
【００４９】
図１０は本発明の第５の実施の形態に係る大棟１３を示す断面図である。なお、図１０において図１〜４と同一機能部分には同一符号を付し、その詳細な説明は省略する。
【００５０】
大棟１３は、一対の野地板１００，１００に設けられた換気スリット１０１と、野地板１００，１００の上部に設けられた透湿ルーフィング１０２と、透湿ルーフィング１０２上に設けられ水切部材１５０と、透湿ルーフィング１０２の上面であり水切部材１５０の近傍から野地板１００の斜角に平行に複数並設され空気流通部Ｆを形成する流通板１８０と、流通板１８０の上面にもうけられ水平方向に配置された複数の桟木１８１と、この桟木１８１上面に設けられた桟瓦１８２と、換気スリット１０１に跨って複数の垂木支持金具１８３が所定間隔で配置されており、これら複数の垂木支持金具１８３に渡って取り付けられた垂木１８４と、桟瓦１８２の上面であり水切部材１５０及び垂木１８３に跨って設けられた通気部材１６０と、桟瓦１８２の上面であり通気部材１６０を覆って設けられた冠瓦１７０とを備えている。
【００５１】
なお、流通板１８０を設けず桟木１８１下面に、桟木１８１を野地板１００に配置させたときに野地板１００の斜角と同角度となる溝を設けてもよい。
【００５２】
このように構成された大棟１３では、空気流通路Ｆが形成される。まず、屋内（野地板１００下部）の空気は空気流通路Ｆに示すように、通気スリット１０１を通過し、水切部材１５０側面から垂木１８４周辺空間へと移動する。また、流通板１８０により桟木１８１、桟瓦１８２及び野地板１００の空間の空気も垂木１０５周辺の空間へと移動することができる。そして、外部の空気が通気部材１５０の一方から中空体１１１を通り、垂木１０５周辺の空気と一緒に他方の中空体１１１を通過し外部へと排出される。
【００５３】
また、冠瓦１７０と中空体１１１により雨水は屋内へ流れ込まない。万が一、中空体１１１から垂木１８４周辺へと雨水が浸入しても、水切部材１５０から透湿ルーフィング１０２へと雨水が排出され、流通板１８０と流通板１８０との間から外部へと排出される。
【００５４】
このため、止水効果等の基本的な機能を維持しつつ、簡単な構造でより多くの空気流通路Ｆを設けることにより、換気効率を向上しつつ製造・施工コストを低減させることができる。
【００５５】
上述したように、本実施の形態に係る大棟１３によれば、止水効果等の基本的な機能を維持しつつ、簡単な構造で屋内及び野地板１００と桟瓦１８２との空間の空気が屋外へ排出される空気流通路Ｆを設けることができるため、製造・施工コストを低減し、さらに、通気効率を向上させることができる。
【００５６】
なお、本発明は前記実施の形態に限定されるものではない。例えば、上述した例では、透湿ルーフィング１０２を用いるよう説明したが、これを透湿性及び遮熱性を有するアルミシートを用いても適用できる。これにより高い遮熱性を有することが可能となる。また、網状帯１１５を用いると説明したが、これを必要な箇所（例えば瓦１０３を配置させ固定させる等）に中空体１１１等を用いても適用できる。さらに、瓦１０３及び桟瓦１８２ではなく他の屋根部材を用いても適用できる。この他、本発明の要旨を逸脱しない範囲で種々変形実施可能であるのは勿論である。
【図面の簡単な説明】
【００５７】
【図１】本発明の第１の実施の形態に係る平棟を示す断面図。
【図２】同平棟に用いられる通気部材を示す斜視図。
【図３】同平棟に用いられる棟包を示す斜視図。
【図４】同平棟の側面を示す説明図。
【図５】本発明の第２の実施の形態に係る屋根構造の平棟を示す断面図。
【図６】同屋根構造の軒先部を示す断面図。
【図７】同屋根構造のケラバを示す断面図。
【図８】本発明の第３の実施の形態に係る平棟を示す断面図。
【図９】本発明の第４の実施の形態に係る平棟を示す断面図。
【図１０】本発明の第５の実施の形態に係る大棟を示す断面図。
【符号の説明】
【００５８】
１０,１０Ａ〜１０Ｃ…平棟、１３…大棟、１００…野地板、１０１…換気スリット、１０２…透湿ルーフィング、１０３…瓦、１０４…釘、１１０…通気部材、１１１…中空体、１１４…笠木、１２０…棟包、１２２…側面カバー、１２４…水平水切板、Ｆ…空気流通路。
【図１】
2008082034.tif 000003
【図２】
2008082034.tif 000004
【図３】
2008082034.tif 000005
【図４】
2008082034.tif 000006
【図５】
2008082034.tif 000007
【図６】
2008082034.tif 000008
【図７】
2008082034.tif 000009
【図８】
2008082034.tif 000010
【図９】
2008082034.tif 000011
【図１０】
2008082034.tif 000012